(57)【要約】【課題】簡単に円等を描くことができるコンパスを提供する。【解決手段】中心脚３と回転脚４の両脚が回動可能に取付けられた取付体５を備える。取付体５において脚３，４の回動中心よりも一方の３，４側にずれた位置に摘み部３８が立設される。【選択図】図１
2011218753.tif 000002
【特許請求の範囲】
【請求項１】
両脚が回動可能に取付けられる取付体を備え、該取付体において前記脚の回動中心よりも一方の脚側にずれた位置に摘み部が立設されたことを特徴とするコンパス。
【発明の詳細な説明】
【技術分野】
【０００１】
本発明はコンパスに関する。
【背景技術】
【０００２】
一般的なコンパスは、図７のように針６が設けられる中心脚３と、鉛筆１４が設けられる回転脚４と、両脚３，４を開閉自在に連結する取付体５を備え、取付体５において前記脚３，４の回動中心と一致する箇所に摘み部３８が立設され、両脚３，４を開いて紙面上に立てた状態で摘み部３８を指で回転させることによって紙面に円や円弧（以下、円等と記載する）を描く。なお、特許文献１には取付体に操作部が設けられたコンパスが示されている。
【先行技術文献】
【特許文献】
【０００３】
【特許文献１】特開平１０−１９３８７７号公報
【発明の概要】
【発明が解決しようとする課題】
【０００４】
ところで前記円等を描く際に行われる摘み部３８の回転としては、紙面に刺した針６を中心に摘み部３８を回転する公転（図７中矢印ａ）と、摘み部３８の中心軸回りに回転する自転（図７中矢印ｂ）とがある。ここで、綺麗に円等を描くには摘み部３８の公転と自転をバランス良く行う必要がある。また、摘み部３８の自転は主に複数の指の間で摘み部３８を転動させる必要があり、この作業は障害者や手の小さい学童にとっては難しい作業になり、また、成人や健常者にとっても製図等で多数の円等を描く場合には負担となる。
【０００５】
ここで、大径の円等を描く場合には、摘み部３８の公転径が大きくなり、摘み部３８を大きく公転させる間に摘み部３８の自転を比較的容易に行わせられるが、小径の円等を描く場合には摘み部３８を小さく公転させる間に摘み部３８を自転させる必要があって、操作はより難しくなる。
【０００６】
また、円等を描く場合には摘み部３８に下方への力を若干加える等して紙面上の針６と鉛筆１４の芯１５の両方を適切な力で紙面側に押し付ける必要があるが、小径の円等を描く場合には両脚３，４が紙面に対して垂直に近い状態となるため、針６と鉛筆１４の芯１５の両方にバランス良く下向きの力を加えて紙面側に押圧することが難しくなる。殊に円等を描く際に鉛筆１４の芯１５が紙面から浮き上がった場合には、再度芯１５を紙面に当てれば先に描いた円弧になぞって円等を描くことができるが、針６が紙面から抜けた場合には、先に描いた円弧になぞって円等を描くには針６の先端を抜けた位置に正確に刺し直す必要があり、難しい。
【０００７】
本発明は上記事情に鑑みてなされたものであって、簡単に円等を描くことができるコンパスを提供することを課題とする。
【課題を解決するための手段】
【０００８】
上記課題を解決するために本発明のコンパスは、両脚３，４が回動可能に取付けられる取付体５を備え、該取付体５において前記脚３，４の回動中心よりも一方の脚３又は４側にずれた位置に摘み部３８が立設されたことを特徴とする。
【０００９】
摘み部３８が脚３，４の回動中心よりも回転脚４側にずれた位置に立設されると、脚３，４の回動中心と一致する箇所に摘み部３８が設けられたものと比較して、摘み部３８の針６を中心にした回転、すなわち公転の径を大きくできる。このため、小径の円等を描く場合にも摘み部３８を大きく公転させることができ、これにより摘み部３８を大きく公転させる間に摘み部３８の自転を指で容易に行わせることができる。また、摘み部３８が脚３，４の回動中心よりも中心脚３側にずれた位置に立設されると、摘み部３８の下方への押圧力を回転脚４側よりも中心脚３側に伝えやすくなる。このため特に小径の円等を描く場合にも、摘み部３８を指で下方に押さえつけることにより針６を紙面側に容易に押さえ付けることができ、これにより円等の中心を決定する紙面に刺した針６が抜け出ることを確実に防止できる。従って本発明のコンパスにあっては容易に円等を描くことができる。
【発明の効果】
【００１０】
本発明のコンパスは簡単に円等を描くことができる。
【図面の簡単な説明】
【００１１】
【図１】本発明の実施形態のコンパスの正面図である。
【図２】同上のコンパスの側面図である。
【図３】同上のコンパスの断面図である。
【図４】同上のコンパスの斜視図である。
【図５】同上のコンパスの動作説明図である。
【図６】他の実施形態のコンパスの正面図である。
【図７】従来のコンパスの動作説明図である。
【発明を実施するための形態】
【００１２】
以下、本発明を添付図面に基づいて説明する。図１乃至図３に示される本実施形態のコンパス１は、紙面に描く円等の中心を決める中心脚３と、前記円等を描くための筆記用具が設けられる回転脚４と、両脚３，４の端部が回動自在に取り付けられて両脚３，４を開閉可能とする取付体５とを備えている。なお、以下では特に記載する場合を除きコンパスの各構成部材を図１のように両脚３，４を閉じた状態につき説明する。また、以下の説明では図１の矢印Ａ、Ｂ、Ｃ、Ｄに示す方向を夫々上方、下方、左方、右方として説明する。
【００１３】
左右に並ぶ中心脚３及び回転脚４は共に上下に長い棒状に形成されている。中心脚３の下端部には回転脚４側の斜め下方に向けて突出する針６が設けられている。
【００１４】
回転脚４の下端部には中心脚３と反対側に突出する挿通部８が形成されている。挿通部８には上下に貫通する挿通孔９が形成され、挿通孔９は下方程中心脚３側に近づくように傾斜している。
【００１５】
挿通部８にはリング状の締付体１０が取り付けられている。締付体１０の内周面には雌ねじ部１２が形成されている。締付体１０は、挿通部８の外周面に形成された雄ねじ部１３に雌ねじ部１２を螺合することで回転脚４に取り付けられる。締付体１０を雌ねじ部１２の螺進方向に回転することで締付体１０を中心脚３側に移動したり、締付体１０を逆方向に回転して中心脚３から離れる方向に移動することができる。
【００１６】
挿通孔９には筆記用具となる鉛筆１４が通される。鉛筆１４は締付体１０と回転脚４で挟持されることで、芯１５の先端がある下側程中心脚３側に近づくように傾斜させた状態で回転脚４に取り付けられる。
【００１７】
図２、図３に示されるように中心脚３及び回転脚４の夫々の上端部には取付体５に取り付けられる被取付部１６，１７が形成されている。両被取付部１６，１７には前後に貫通するねじ通し孔１８が形成されている。なお、中心脚３の被取付部１６のねじ通し孔は図示を省略する。中心脚３の被取付部１６には後方に突出するピン部１９が形成され、回転脚４の被取付部１７には前方に突出するピン部２０が形成されている。
【００１８】
中心脚３の被取付部１６は回転脚４の被取付部１７の前方に配置され、両被取付部１６，１７の間には両脚３，４を取付体５に連結する連結板２２が配置されている。連結板２２には縦長孔２３とこれと十字状に交差する横長孔２４が貫通形成されている。横長孔２４の縦長孔２３よりも右側の部分には中心脚３のピン部１９が横長孔２４の長手方向にスライド自在に挿入され、横長孔２４の縦長孔２３よりも左側部分には回転脚４のピン部２０が横長孔２４の長手方向にスライド自在に挿入されている。連結板２２の左側には上方に突出する突出部２５が形成され、突出部２５の上端部には前後に突出する被ガイド部２１が形成されている。
【００１９】
取付体５には側面視で下向きに開口した略コ字状の取付部２６が形成されている。取付部２６の壁部２７，２８の間には両脚３，４の被取付部１６，１７及び連結板２２が配置されている。各被取付部１６，１７のねじ通し孔１８及び連結板２２の縦長孔２３には取付部２６の前側の壁部２７に形成した孔（図示せず）から通されたねじ３１の軸部３２が通されている。ねじ３１の軸部３２の後端部は後側の壁部２８に形成した孔（図示せず）を介して取付部２６の後方に突出し、同部にナット３４（図４参照）が螺合されることにより、両脚３，４及び連結板２２が取付体５に締結されている。これにより、両脚３，４は上端部がねじ３１の軸部３２で前後軸回りに軸支されて開閉可能となる。
【００２０】
取付部２６の上端部の前後両側にはガイド部３５が形成されている。各ガイド部３５は取付部２６の上端部の左右に離間した箇所から下方に突出した二条のリブ３６からなり、両リブ３６の間には下方に開口するガイド溝３７が形成されている。各ガイド部３５のガイド溝３７には連結板２２の突出部２５の被ガイド部２１が上下方向に摺動可能に挿入されている。
【００２１】
取付部２６の上端部にはコンパス１を回転する際に指で摘む摘み部３８が立設されている。摘み部３８の外周面には滑り防止用のローレット２９が形成されている。摘み部３８は取付部２６と一体で且つ中心線ｅが中心脚３の長手方向（すなわち鉛直方向）と略平行になっている。摘み部３８は脚３，４の回動中心となるねじ３１の軸心ｏよりも回転脚４側の側方にずれた位置に配置されている。具体的には、中心線ｅは軸心ｏよりも側方に８ｍｍずれている。また、摘み部３８の中心線ｅは前後方向においては両脚３，４と同位置に配置されている。
【００２２】
両脚３，４を開閉するにあたって脚３，４がねじ３１の軸部３２を中心に回動されたときには、脚３、４に設けられたピン部１９，２０は、常に両脚３，４の開閉角α（図５参照）の二等分線ｄ（図５参照）を中心とした線対称位置に配置される。このため、連結板２２は両脚３、４の開閉角αの二等分線と平行に移動し、連結板２２に対して突出部２５及びガイド部３５を介して上下に移動自在に連結された取付体５は摘み部３８の中心線ｅを二等分線ｄに対して平行にしたたまま脚３、４に対して回動することとなる。従って紙面に円等を描くときには、両脚３，４の開閉角αに関わらず摘み部３８の中心線ｅが常に紙面に対して略垂直な状態に保たれる。
【００２３】
コンパス１を用いて紙面に円等を描くには、まず、一般的なコンパスと同様に、針６の先端から鉛筆１４の芯１５の先端までの距離が紙面に描く予定の円等の半径になるよう両脚３，４の開閉角αを調整し、この後、針６の先端を紙面に刺すと共に鉛筆１４の芯１５を紙面上に載せる。次に摘み部３８を指で摘まみ、この指で平面視において摘み部３８を針６の先端を中心にして回転させる。
【００２４】
図５は本実施形態のコンパス１を用いて円を描く様子をモデル化した説明図である。図に示すように本実施形態では摘み部３８が脚３，４の回動中心よりも回転脚４側にずれた位置に立設されているので、従来の脚３，４の回動中心と一致する箇所に摘み部３８が設けられたものと比較して、摘み部３８の針６を中心にした回転（すなわち図中ａに示す公転）の径を大きくすることができる。すなわち、摘み部３８の公転径は従来ではｒ１に示す寸法になるが本実施形態ではｒ２に示す寸法になる。このため、小径の円等を描く場合にも、摘み部３８を大きく公転させることができ、これにより摘み部３８を摘み部３８を大きく公転させる間に摘み部３８の自転を指で容易に行わせることができ、結果、円等を容易に描くことができる。
【００２５】
図６に他の実施形態を示す。なお、以下の他の実施形態の説明では、上記実施形態と同一の構成については同一の番号を付与し、重複する説明は省略する。
【００２６】
図６に示すように本実施形態のコンパス１は、上記実施形態における取付体５及び連結板２２を左右反転して設けており、これにより摘み部３８を脚３，４の回動中心となるねじ３１の軸心ｏよりも中心脚３側にずれた位置に配置している。
【００２７】
ここで、本実施形態のコンパス１を用いて円等を描く場合、摘み部３８が脚３，４の回動中心よりも中心脚３側にずれた位置に立設されているので、摘み部３８の下方への押圧力を回転脚４側よりも中心脚３側に伝えやすくなる。このため特に小径の円等を描く場合にも、摘み部３８を指で下方に押さえつけることにより針６を紙面側に容易に押さえ付けることができ、これにより円等の中心を決定する紙面に刺した針６が抜け出ることを確実に防止できる。従って容易に円等を描くことができる。
【００２８】
なお、本実施形態のコンパスは回転脚４に鉛筆１４を設けたが、回転脚４には鉛筆１４に代えてシャープペンシル等のその他の筆記用具や鉛芯等を設けてもよい。また、摘み部３８は取付体５と一体に形成したが、摘み部３８の下端部を前後軸回りに回動自在に取付体５に連結し、両脚３，４の開閉角度αに応じて摘み部３８の軸方向を手で変更できるようにしても構わない。また、この他、本発明の主旨を逸脱しない範囲において適宜設計変更可能である。
【符号の説明】
【００２９】
３  中心脚
４  回転脚
５  取付体
３８  摘み部
【図１】
2011218753.tif 000003
【図２】
2011218753.tif 000004
【図３】
2011218753.tif 000005
【図４】
2011218753.tif 000006
【図５】
2011218753.tif 000007
【図６】
2011218753.tif 000008
【図７】
2011218753.tif 000009